(57)【特許請求の範囲】
【請求項１】
積重ねシート（５３）を保持するための支持体（５２）を備えたシート導入チャンネル（５１）と、前記積重ねシートの頂部シート（５３ａ）を移動させかつそれを印字ヘッド（６）に対向させるために駆動軸（１２）に配置された各駆動ローラ（１１）とから成り、プリンタまたはタイプライタへ各シートを導入するための装置において、
前記装置が、前記導入チャンネル（５１）の下流側に配置されかつ前記頂部シート（５３ａ）の前縁部と協働するように適合される固定整列ストッパ（６７）と、前記シートの前縁部が固定整列位置に在る場合に第１の段階で前記前縁部により前記頂部シート（５３ａ）を前記固定整列ストッパ（６７）に対して付勢させる手段（６６）と、第２の段階で前記固定整列ストッパ（６７）から前記頂部シート（５３ａ）の前記前縁部を除去しかつ該前縁部を前記各駆動ローラ（１１）に移動するために前記頂部シート（５３ａ）と協働する少なくとも１つの可動偏向要素（６８）とを具備して成り、それによって前記頂部シート（５３ａ）が、前記各駆動ローラ（１１）の周辺と接触するようになることを特徴とするシート導入装置。
【請求項２】
前記シート導入装置が、更に、前記積重ねシート（５３）の前記導入チャンネル（５１）への挿入中に前記支持体（５２）の各保持隅部（５６）内に前記シート（５３）を案内するように前記支持体（５２）に対向して前記導入チャンネル（５１）に配置される各可動式引戻し可能な案内部材（６０）を具備して成ることを特徴とする請求項１に記載のシート導入装置。
【請求項３】
前記積重ねシート（５３）の前記頂部シート（５３ａ）が選択されて前記印字ヘッド（６）に対向するように案内される場合に、前記支持体（５２）が、各弾性部材（９３）により前記各駆動ローラ（１１）に対して前記シート（５３）を付勢するように設計された各可動付勢手段（６６）を備えていることを特徴とする請求項１または２に記載のシート導入装置。
【請求項４】
前記シート導入装置が、前記支持体（５２）の近傍に配置されかつ前記導入チャンネル（５１）への挿入中前記積重ねシート（５３）を保持するために前記導入チャンネル（５１）内に突出しかつ前記印字ヘッド（６）に向かう前記頂部シート（５３ａ）の移動で引戻されるように駆動される各可動式引戻し可能な装填ストッパ（６４）を具備することを特徴とする請求項１乃至３の何れか１項に記載のシート導入装置。
【請求項５】
前記シート導入装置が、前記各駆動ローラ（１１）の前記駆動軸（１２）に対して平行に横たわりかつ前記可動偏向要素（６８）の運動を制御するように設計された第１カム群（７８）を有する制御軸（１３）を具備することを特徴とする請求項１乃至４の何れか１項に記載のシート導入装置。
【請求項６】
前記各駆動ローラ（１１）の前記駆動軸（１２）および前記制御軸（１３）が両方向に回転可能な単一のモータ（１０）に接続され、前記駆動軸（１２）が前記モータ（１０）の第１回転方向において該モータと係合されるように配置された一方向カップリングを備え、そして前記制御軸（１３）が前記モータ（１０）の第２回転方向において前記モータと係合されるように配置された第２の一方向カップリングを備えていることを特徴とする請求項５に記載のシート導入装置。
【請求項７】
前記制御軸が、更に前記導入チャンネル（５１）へのシートの挿入および前記印字ヘッド（６）へ向かう前記頂部シートの移動中、前記積重ねシート（５３）の前記導入チャンネル（５１）への挿入および前記各可動式引戻し可能な案内部材（６０）と前記各可動装填ストッパ（６４）の引戻しを容易にするために前記導入チャンネル（５１）への前記各可動式引戻し可能な案内部材（６０）と前記各可動装填ストッパ（６４）の前進運動を制御するように配置される第２および第３カム群（９１，１００）と、前記上方の選択された頂部シートの移動のための前記各弾性部材（９３）の作用下で前記各可動付勢部材（６６）の前進運動と、前記上方の選択された頂部シートの移動が完了したら前記各弾性部材（９３）の作用に抗する前記各可動付勢部材（６６）の引戻しを制御するように配設される第４カム群（９４）を具備することを特徴とする請求項６に記載のシート導入装置。
【請求項８】
前記シート導入装置が、前記印字ヘッド（６）へ向かう前記頂部シート（５３ａ）の移動サイクル中、サイクルの第１段階において、前記第４カム群（９４）による前記各可動付勢部材（６６）への前進運動を付与し、前記頂部シートを前記各駆動ローラ（１１）に対して付勢しかつ前記第２および第３カム群（９１，１００）による前記各可動式引戻し可能な案内部材（６０）と前記各可動装填ストッパ（６４）の引戻しを生成するような前記第２方向への前記モータ（１０）の回転と、サイクルの第２段階において、前記各駆動ローラ（１１）を駆動しかつ前記固定整列ストッパ（６７）に対して前記頂部シートの前縁部により該頂部シートを付勢するような前記第１方向への回転と、サイクルの第３段階において、前記第１カム群（７８）を介して、前記各駆動ローラ（１１）に対して前記頂部シート（５３ａ）を付勢する前記可動偏向要素（６８）への前進運動を付与するような前記第２方向への回転と、サイクルの第４段階において、前記印字ヘッド（６）まで前記シートを駆動するような前記第１方向への回転と、サイクルの第５段階において、前記第４および第１カム群（９４，７８）による前記各可動付勢部材（６６）と前記可動偏向要素（６８）の引戻しと、前記第２および第３カム群（９１，１００）による前記各可動式引戻し可能な案内部材（６０）と記各可動装填ストッパ（６４）の前進運動を生成するような前記第２方向への回転と、サイクルの第６段階において、前記印字ヘッド（６）の下に前記シートを駆動する前記第１方向への回転とを生成、制御するように構成される制御部（４、１４）を具備することを特徴とする請求項７に記載のシート導入装置。
【請求項９】
前記シート導入装置が、前記印字ヘッド（６）の下流に位置決めされかつ印字済みシートのための受部（７５）に該印字済みシートを持ち上げ、移送しかつ載置するために前記シートの後縁部に作用するように輪郭付けされた各ホイール（７３，７４）から成る各移送部材（７３，７４）を具備することを特徴とする請求項１乃至８項の何れか１項に記載のシート導入装置。
【請求項１０】
前記シート導入装置が、前記シート上への印字の正確な位置決めを保証するために前記シートの通過を検出し得る検出手段（７２）を含むことを特徴とする請求項１乃至９項の何れか１項に記載のシート導入装置。
【請求項１１】
前記シート導入装置が、前記第２の一方向カップリング（２０）と前記制御軸（１３）との間に配置され、そして作動コマンドに追随して、前記第２の一方向カップリング（２０）と前記制御軸（１３）との間の駆動接触を確立するように配置されるクラッチ装置（２１）を具備することを特徴とする請求項６乃至８の何れか１項に記載のシート導入装置。
【請求項１２】
前記第２の一方向カップリング装置（２１）が、各屈曲ブレード（２３）を備えたホイール（２２）から成り、該各屈曲ブレード（２３）の外方部分が前記各ブレード（２３）を備えた前記ホイール（２２）の周辺に配置される歯付きホイール（２５）の歯（２４）と協働することを特徴とする請求項６に記載のシート導入装置。
【請求項１３】
前記シート導入装置が、その上に前記導入チャンネル（５１）および前記支持体（５２）と連係する可動要素が取り付けられる別個のユニット構体（５０）を具備し、該ユニット構体（５０）が前記シート導入装置の残部上に単一ユニットとして組み立て可能であることを特徴とする請求項１乃至１２の何れか１項に記載のシート導入装置。
【発明の詳細な説明】
【０００１】
【産業上の利用分野】
本発明は積重ねシートを保持すべくなされた支持体を呈する、シート用導入チャンネルおよび積重ねシートの頂部シートを移動しかつそれを印字ヘッドに向かい合わせるように駆動軸に配置された駆動ローラからなる、プリンタまたはタイプライタへのシート導入装置に関する。
【０００２】
【従来の技術】
かかるペーパーシート用導入装置はプリンタ、タイプライタ、または、写真複写機のごとき他の装置に使用されるものとしては公知である。これらの公知の装置はペーパーシートの導入においてその良好な整列を得るためにプリンタシリンダと連係する相当な直径の一連の導入ローラを使用する。
【０００３】
【発明が解決しようとする課題】
最近、いわゆるポータブル型の、非常に小型のプリンタまたはタイプライタを開発することが重要となった。これらのプリンタのペーパー導入用装置は必然的に大きさが低減されねばならない。プリンタローラと連係する一連の導入ローラに代えて、単に小径のシリンダを使用することが試みられたが、プリンタ内部でシートの不十分な配列を結果として生じた。
【０００４】
本発明の目的は上述した欠点を解決しかつプリンタに導入されたシートの正確な配列を保証する小型の導入装置を提供することにある。
【０００５】
【課題を解決するための手段】
このために、本発明は、導入装置が固定整列ストッパと少なくとも１つの可動偏向要素を含み、該固定整列ストッパが前記頂部シートが第１段階において駆動ローラによりその前縁部だけ前記固定整列ストッパに対して付勢されるように導入チャンネルの下流に配置され、そしてまた、導入装置が少なくとも１つの可動偏向要素を含み、該可動偏向要素が第２段階において前記頂部シートの前縁部を前記整列ストッパから除去しかつ前記頂部シートが前記駆動ローラの周辺と接触するように前記前縁部を前記駆動ローラに持ち来すために前記頂部シートと協働すべくなされることを特徴とする。
【０００６】
この配置は非常に良好なペーパーの配列を保証する一方、とくにシリンダを形成する駆動ローラの小径のため必要な空間は僅かである。この利点はいわゆるポータブルプリンタにおいて顕著なものとなる。
【０００７】
好都合には、導入装置は、導入チャンネルへの積重ねシートの挿入の間中支持体の保持隅部の内部にシートを向けるように支持体に向かい合っている、前記導入チャンネルに配置された可動の引戻し可能な案内要素を含んでいる。
【０００８】
この構造は、導入チャンネルおよび固定ペーパー支持体が存在するときも同様に、チャンネルへ積重ねシートの容易かつ信頼し得るような挿入を可能にする。
【０００９】
好ましくは、支持体が積重ねシートの頂部シートが選択されかつ印字ヘッドに向かい合うようにさせれるとき駆動ローラに対して前記シートを付勢すべくなされた可動支持部材を備えている。
【００１０】
この配置はペーパーの選択の正確な制御を可能にする。
【００１１】
好都合である１変形例によれば、導入装置は支持体の近傍に配置されかつ積重ねシートの導入チャンネルへの挿入においてシートを保持するために前記導入チャンネル内に突出しかつ印字ヘッドに向かう頂部シートの運動の間中引戻すように駆動される可動の引戻し可能な装填ストッパを具備する。
【００１２】
これらのストッパは、通常のシートの横方向支持ガイドが離れ過ぎて設定されるかまたはシートが狭過ぎるとしても、その導入の間中積重ねシートを十分に保持するという利点を有する。
【００１３】
好適な実施例において、導入装置は駆動ローラの駆動軸に対して平行に横たわりかつ可動偏向要素の運動を制御すべくなされた第１カムを支持する制御軸を含む。
【００１４】
正確な制御はかくして偏向要素の運動に関して得られる。
【００１５】
好都合には、駆動ローラの駆動軸および制御軸が両方向に回転可能な単一のモータに接続され、前記駆動軸が前記モータの第１回転方向において該モータと係合されるような方法において配置された一方向カップリングを備え、そして前記制御軸が前記モータの第２回転方向において前記モータと係合されるような方法において配置された第２の一方向カップリングを備えている。
【００１６】
この構造は空間を非常に僅かだけ必要としかつ製造するのに安価である。
【００１７】
とくに好都合であるモードによれば、制御軸はさらに、導入チャンネルへのシートの挿入および印字ヘッドへ向かう頂部シートの走行の間中の、可動案内要素および可動装填ストッパの引戻しを容易にするために前記導入チャンネルへの、前記可動案内要素のかつ前記可動装填ストッパの前進運動を制御するように配置される第２および第３カム、および選択された頂部シートの走行のために、弾性部材の作用下で前記可動付勢部材の前進運動、および前記選択された頂部シートの走行が完了されるとき前記弾性部材の作用に抗する前記可動付勢部材の引戻しを制御すべく配置された第４カムを含んでいる。
【００１８】
この構造は必要な空間が僅かでありながら、簡単でかつ正確であるすべての可動部材の制御を保証する。
【００１９】
他の利点は、付属の特許請求の範囲に記載された特徴、および概略的にかつ例として１実施例を描いている図面に関連してなされる以下の詳細な説明から明らかとなる。
【００２０】
【実施例】
図１に部分的に示される導入装置１はフレーム３、ロッド５に沿って摺動するトラベラ４を具備し、かつ印字ヘッド６を有するプリンタ２と連係する。フレームはもちろんさらに、キーボードおよびマイクロプロセッサのごとき他の構成要素を包含し得る。
【００２１】
導入装置はステッピング型からなる両方向電気駆動モータ１０を有する。このモータは一方で駆動軸１２と係止される駆動ローラ１１を駆動しかつ他方で、導入装置の種々の可動要素の運動を制御する制御軸１３を駆動する。
【００２２】
図１ないし図５を参照して、モータ１０は該モータ１０が第１方向に回転するとき駆動軸１２に係合するように配置される第１の一方向カップリング１６に歯車列１５を介して接続される。この第１の一方向カップリング１６はいわゆる「トーピドー」型からなりかつ歯車１８に固着されかつモータ１０が第１方向に回転するとき、軸１２のまわりに緊密に巻回する螺旋ばね１７を含み、これに反してばねは、反対の回転方向において、軸１２のまわりに緊密に巻回しない。モータの始動および回転方向は制御ユニット１４により制御される。
【００２３】
歯車列１５同様に第２の一方向カップリング２０およびクラッチ装置２１を介して制御軸１３と協働するために配置される。このカップリングおよびクラッチ装置は明瞭にするために図５において上方に移動して示した。一方向カップリング２０は歯車列１５と係合された同軸ホイール２５の歯車の歯２４とそれらの端部で協働する一連の屈曲ブレード２３を備えたホイール２２を包含する。ホイール２２はモータ１０が第２方向に回転するとき、すなわちホイール２５が図６の反時計方向に回転するとき駆動される。
【００２４】
クラッチ装置２１は制御軸１３と回転において係止された円板３０からなる。この円板は第２の一方向カップリング２０のホイール２２の１部分を形成する対応する歯車の歯３２と係合位置において協働すべくなされた歯車の歯２１を含んでいる。
【００２５】
さらに、図５に実線で示されるような係合解除位置において、フレーム３の１部分である固定壁３６に設けられた開口３５内に板ばね３４により付勢されるピン３３を支持する。軸４１によってフレームに回転可能に取り付けられたレバー４０が、開口３５からピン３３を係合解除しかつ図５に点線で示されるように、ばね３４の作用に抗して、２組の歯車の歯３１および３２に係合するために円板３０と端部の一方４２により協働する。モータ１０が前記第２方向に回転すると、ホイール２２は、全回転の間中、導入装置の種々の可動要素の運動を制御する制御軸１３を順次駆動する円板３０を駆動する。回転の完了後、壁３６に対して摺動するピン１３はばね３４の作用により開口３５に再び落ち込みそして軸１３がホイール２２およびモータ１０から係合解除される。
【００２６】
シートの導入を制御するために、レバー４０はその端部４３において可動のトラベラ４がプリンタの左方端で予め定めた位置にあるとき可動トラベラ４と協働する。明らかなように、クラッチはまた他の手動または自動装置により制御され得る。
【００２７】
図３および図４は非作動位置および作動位置において種々の可動要素を断面図で示す。図２において別個に示されるユニット構体５０は積重ねシート５３を保持するために設けられた支持体５２とシート用導入チャンネル５１を形成するために導入装置に取り付けられる。この支持体５２はシートの下方隅部と協働すべくなされた下方保持隅部５６を備えた横方向ガイド５４，５５（図２）を含んでいる。図２の左方側で横方向ガイド５４は、ペーパーフオーマツトに適合させるために、調整ボタン５９により横方向に動かされ得る可動スライド５８と錠止される。
【００２８】
導入チャンネル５１はさらに導入チャンネル（図３参照）への積重ねシートの挿入の間中保持隅部５６にシートを向けるために導入チャンネル５１に係合できる、制御されたブレードの形の可動の引戻し可能な案内要素６０を含む。これらの案内要素６０はシートの選択の間中チャンネル５１から枢動される（図４参照）。
【００２９】
シート用支持体５２は、その中央部分において、その下方縁部に、挿入時積重ねシートを保持するために導入チャンネル５１内に突出し得る可動の引戻し可能な装填ストッパ６４を備えている。これは、シートが隅部５６により保持されるのに小さ過ぎるフオーマツトからなるとき、とくに有用である。これらの装填ストッパは印字ヘッドに向かう頂部シート５３ａの走行の間中引戻される（図４参照）。
【００３０】
支持体５２はさらに頂部シート（図４）が選択されかつ印字ヘッド６に向かい合せられるとき駆動ローラ１１に対してシートを付勢すべく作用するシユー形状の可動付勢部材６６を備えている。これらの可動付勢部材６６は次のシートの選択を回避しかつチャンネルへのその挿入時積重ねシートの容易な位置決めを許容するようにチャンネル５１から引戻させられる。
【００３１】
導入チャンネルは、その下流部分において、導入装置のフレームと一体の部分から形成される固定整列ストッパ６７を含む。このストッパ６７は駆動ローラ１１により頂部シート５３ａを駆動する第１段階の間中、このシートがその前縁部により正確な配列を得るためにこのストッパ６７に対して付勢されるように配置される。
【００３２】
導入チャンネル５１のこの下流部分には、さらに、頂部シート５３ａ（実線において、図３および図４参照）の選択の第１段階において非作動位置に引戻される偏向要素６８が設けられる。第２段階において、これらの偏向要素６８は頂部シート５３ａの前縁部を整列ストッパ６７から離して除去しかつこの頂部シート５３ａが、図４において点線６８ａにより示されるように、駆動ローラ１１の周辺と接触するように前縁部を駆動ローラ１１に持ち来すように頂部シート５３ａと協働するような方法において枢動される。
【００３３】
シート５３ａは次いで駆動ローラに対して付勢されそして駆動ローラが図４において時計回り方向に回転されると、シートは対向付勢ローラ７０，７１と駆動ローラ１１との間でかつ印字の第１行に対応する所定位置にシートの駆動の停止を制御する光電センサ７２に向かい合うようにされる印字ヘッド６を通って走行する。
【００３４】
印字されたシートは次いでモータ１０と係合される２つのホイール７３，７４により運ばれ、ホイールの一方７３は歯車の歯をかつ他方７４は一連のノッチを有する。該ノッチは印字済みシートを持ち上げかつそれを印字済みシート用受部７５に堆積されるように運び去るために印字済みシートの後縁部に作用するように配置される。
【００３５】
導入チャンネル５１に設けられたすべての可動要素、すなわち、偏向要素６８、可動の引戻し可能な案内要素、可動装填ストッパ６４および可動付勢部材６０の運動は制御軸１３と連係するカムにより制御される。
【００３６】
図３および図４に見ることができるように、制御軸１３は偏向要素６８を引戻し位置から作動位置にかつその逆に、軸７９のまわりの回転により、動かすために偏向要素と協働すべく設計された第１カム７８を有する。
【００３７】
可動の引戻し可能な案内要素６０の制御機構は図７および図２を参照してより詳細に説明する。これらの案内要素６０はレバー８５の第１アーム８４の端部に設けられた歯車の歯８３と協働する歯車の歯８２を有する扇形体８１と一体である軸８０のまわりに回転可能である。レバー８５はユニット構体５０のフレーム８７で軸８６のまわりに回転可能でかつ制御軸１３（図１参照）と一体のプレート９５により支持される指状体９０と協働するように配置される成形スロット８９を有する第２アーム８８を含んでいる。スロット８９、指状体９０およびプレート９５からなる構体はかくしてカム機構９１を形成する。したがって、制御軸１３の回転の間中、レバー８５、扇形体８１および案内要素６０は図７の実線において示される非作動位置から点線において示される引戻し位置に枢動される。それらはその後案内要素６０が導入チャンネル５１に係合される非作動位置に復帰する。
【００３８】
図８および図２を参照して、付勢部材６６は軸９２によって、フレーム８７に関連して回転可能である。弾性の金属板を有する２つのばね９３が付勢部材６６を図８に点線で示される作動位置に押し、この位置においてそれらは駆動ローラ１１に対してシートを押し付ける。第４カム９４は、支持体５２上の積重ねシートの位置決めを許容するために、図８に実線で示される引戻し位置に向けて付勢部材６６を動かすべくばね９３と協働する。図８において、また横方向ガイド５５と一体のかつ頂部シート５３ａの選択時その除去を容易にするために丸みを付けた内部形状を有する固定保持隅部５６の一方が示される。
【００３９】
図９を参照して、装填ストッパ６４の制御機構をより詳細に説明する。これらの可動ストッパ６４は軸９７によってスターラップ形状部分９６に枢着される。該スターラップ形状部分９６はまた軸９８によってフレーム８７に枢着されかつその下方端に制御軸１３と一体のかつまた歯車の歯１０１を呈するカム１００と協働すべくなされた歯車の歯９９を含んでいる。螺旋ばね１０２はフレーム８７に装填ストッパ６４の後方部分を接続しかつこれらのストッパが導入チャンネル５１から引戻される位置にこれらのストッパを付勢する。制御軸１３の回転により、カム１００、部分９６および装填ストッパ６４は図９において点線で示した位置に持ち来される。制御軸１３の追加の回転は図９に実線で示した位置に戻る機構を解放する。
【００４０】
この導入装置の作用は以下の通りである。積重ねシートが、図３に示されるごとく、支持体５２に配置され得る非作動位置において、案内要素６０および装填ストッパ６４がそれらの作動位置にある。付勢部材６６および偏向要素６８はそれらの引戻し位置にある。ペーパーを導入するような命令に続いて、レバー４０はクラッチ装置２１の係合を生じる。モータ１０は次いで第１段階において付勢部材６６が駆動ローラ１１に対してシートを付勢しかつ案内要素６０および装填ストッパ６４が引戻されるような予め定めた角度だけ制御軸１３を回転駆動するために第２方向における回転に移る。第２段階において、モータ１０の方向は、保持隅部５６から頂部シート５３ａを解放しかつ後者をその前縁部を整列ストッパ６７に対して付勢するために下方に動かす駆動ローラ１１を回転駆動するために、逆にされる。追加の小さな距離がこの時にシート５３ａの正確な配列を圧力により保証するように走行される。第３段階の間中、モータ１０は第２方向に回転しかつ制御軸１３は、カム７８の作用によって、駆動ローラ１１に対して頂部シート５３ａを付勢する偏向要素６８の前進運動を生じる（図４）。第４段階において、第１方向に回転するモータ１０は印字ヘッド６へおよびシートの通過を正確に表す光電センサ７２へシートを駆動する。第５段階において、第２方向におけるモータの回転は、カム９４および７８の作用によって、付勢部材６６および偏向要素６８の引戻しを、そしてカム９１および１００の作用によって、案内要素６０および装填ストッパ６４の前進運動を生じる。最後に、第６段階において、モータ１０は印字ヘッドに向かい合うようにシート５３ａを駆動するために第１方向に回転する。
【００４１】
印字の終わりにおいて、シートは、受部７５内に堆積されるように、第１方向に回転するモータ１０と係合されるホイール７３，７４により支持される。
【００４２】
この構造は信頼し得るペーパーの搬送かつまた印字されるべきシートの正確な配列を保証し、一方装置により必要とされる空間のかなりの減少を可能にする。ペーパー支持体５２およびその導入チャンネル５１と連係する可動要素が別個のユニット構体５０（図２）に配置されるので、装置の製造および組み立てが簡単化されるという事実から他の利点が結果として生じる。このユニット５０の組み立ては別個に実施されかつ組み立てられユニット５０は次いで図１に示されるような補助的な要素を備えたモータ１０および駆動および制御軸１２，１３を包含するフレーム３に配置され得る。この構造はまた修理を容易にするかまたはユニット構体５０の迅速な交換を可能にする。
【００４３】
明らかなように、上記した実施例はどのような方法においても限定するようには意図されずかつ実施例は特許請求の範囲第１項により定義された枠組み内で所望のあらゆる変更を受容することができる。とくに、装填ストッパ６４または案内要素６０のごとき幾つかの要素は簡単化された変形例において省略され得る。可動の付勢部材６６は選択の間中駆動ローラ１１に対してシートを弾力的に当てるべく動かされるかまたは枢動され得る可動のシート支持体により置き換えることができる。これらのローラはタイプライタまたはプリンタシリンダにより置き換えても良い。駆動軸１２および制御軸１３の回転はまた２つの別個のモータによって供給され得る。
【００４４】
【発明の効果】
叙上のごとく、本発明は、導入チャンネル、積重ねシートを保持するために設計された支持体を有するシート、積重ねシートの頂部シートを移動しかつそれを印字ヘッドに向かい合わせるように駆動軸に配置された駆動ローラを包含する、プリンタまたはタイプライタへのシート導入装置において、固定整列ストッパを含み、該固定整列ストッパが前記頂部シートが第１段階において前記駆動ローラによりその前縁部だけ前記固定整列ストッパに対して付勢されるように前記導入チャンネルの下流に配置されそしてまた、少なくとも１つの可動偏向要素を含み、該可動偏向要素が第２段階において前記頂部シートの前縁部を前記整列ストッパから除去しかつ前記頂部シートが前記駆動ローラの周辺と接触するように前記前縁部を前記駆動ローラに持ち来すために前記頂部シートと協働すべくなされる構成としたので、非常に良好なペーパーの配列を保証する一方、とくにシリンダを形成する駆動ローラ直径を小さくできるので必要な空間が僅かで済むシート導入装置を提供することができる。
【図面の簡単な説明】
【図１】図２に示す部材を明瞭化のために除去したプリンタに組み込まれた本発明の実施例を示す頂面図である。
【図２】本実施例の１部分の頂面を示す説明図である。
【図３】本実施例の装置を非作動位置において示す断面図である。
【図４】本実施例の装置を作動位置において示す断面図である。
【図５】図１の１部分を示す拡大図である。
【図６】一方向カップリングを示す断面図である。
【図７】図２の線ＶＩＩ−ＶＩＩに沿う断面図である。
【図８】図２の線ＶＩＩＩ−ＶＩＩＩに沿う断面図である。
【図９】図２の線ＩＸ−ＩＸに沿う断面図である。
【符号の説明】
１    導入装置
４    トラベラ
６    印字ヘッド
１０  モータ
１１  駆動ローラ
１２  駆動軸
１３  制御軸
１４  制御ユニット
２０  第２一方方向カップリング
２１  クラッチ装置
２２  ホイール
２３  屈曲ブレード
２４  歯２５の歯
２５  歯車
５０  ユニット構体
５１  導入チャンネル
５２  支持体
５３  シート
５３ａ頂部シート
５６  保持隅部
６０  可動の引戻し可能な案内部材
６４  可動の引戻し可能な装填ストッパ
６６  可動の付勢手段
６７  固定整列ストッパ
６８  可動の偏向要素
７２  検出手段
７３  ホイール
７４  ホイール
７５  受部
７８  第１カム
９１  第２カム
９４  第４カム
１００第３カム
【図１】
0003600273.tif 000002
【図２】
0003600273.tif 000003
【図３】
0003600273.tif 000004
【図４】
0003600273.tif 000005
【図５】
0003600273.tif 000006
【図６】
0003600273.tif 000007
【図７】
0003600273.tif 000008
【図８】
0003600273.tif 000009
【図９】
0003600273.tif 000010